(57)【要約】【課題】  映像信号や音声信号を放送素材として記録し出力するビデオサーバなどの映像・音声送出装置を用いた放送素材送出システムにおいて、記録した映像・音声信号のプレビュー再生時に、プレビュー開始点等の再生点を設定する場合、その設定を精度よく行えるようにする。【解決手段】  記録した映像・音声素材の一部分を表示するとしたスケール表示を設け、そのスケール表示の１メモリが示す時間幅を可変とする。【選択図】  図１
2005159931.tif 000002
【特許請求の範囲】
【請求項１】
映像信号や音声信号を放送素材として記録し出力するビデオサーバなどの映像・音声送出装置を用いた放送素材送出システムにおいて、
前記記録した映像・音声素材の一部分について表示するとしたスケール表示を設け、前記スケール表示の１メモリが示す時間幅を可変とすることを特徴とした放送素材送出システム。
【発明の詳細な説明】
【技術分野】
【０００１】
本発明は、映像信号や音声信号を放送素材として記録し出力するビデオサーバなどの映像・音声送出装置（映像機器）を用いた放送素材送出システムの改良に関する。
【背景技術】
【０００２】
従来の放送素材送出システムでは、ビデオサーバなどに収録（記録）した映像・音声信号（放送素材）をプレビュー再生する場合、収録した放送素材の再生に要する時間長である素材長にかかわらず、その素材長全体を１００％としたスケールを表示している。そして、そのスケール表示上の任意の点を再生点として、カーソル表示等を用いて選択指定して、その指定に基づいて、例えば、プレビュー開始の再生点（プレビュー開始点）からの素材部分の再生開始や、あるいはプレビュー停止の再生点（プレビュー停止点）で素材再生の停止を行うようにしたプレビュー再生を行っていた。
【０００３】
このため、素材長が長い素材についてスケール表示を行う場合、スケール表示の長さ自体は表示画面の制約からその最大長さが定まっているために、その長さに対する素材長全体を表すスケール表示においては、そのスケール表示の１メモリ（目盛り）についての時間幅が大きくなりすぎてしまう。そのため、プレビュー開始点の選択を行う場合に、細かな選択ができず、目的の映像・音声位置を繰り返しプレビュー再生してしまう恐れがあり、余分な映像・音声を再生してしまうことでプレビュー作業に時間がかかっていた。
【０００４】
なお、映像・音声送出装置（映像機器）からの放送素材のプレビューを行うためのシステム構成例としては、特許文献１として示す特開２００２−７７８０２号公報に記載のものがある。
【特許文献１】特開２００２−７７８０２号公報
【発明の開示】
【発明が解決しようとする課題】
【０００５】
上述のように、スケール表示の１メモリについての時間幅が大きくなりすぎてしまい、そのためプレビュー作業に時間がかかる。
本発明は、記録した映像・音声信号のプレビュー再生時に、プレビュー開始点等の再生点を設定する場合、その設定を精度よく行えるようにすることを目的とする。
【課題を解決するための手段】
【０００６】
本発明は、上述の課題を解決するために、記録した映像・音声の素材長全体を１００％としたスケール表示の他に、所定の素材の一部分について表示するとしたスケール表示を設け、そのスケール表示の１メモリが示す時間幅を可変とすることで、その時間幅をより細かくすることができる。そのため、より細かにスケール表示設定を選択した上でプレビュー再生点を決定することができるので、目的のプレビュー再生点へ到達する時間短縮を実現するものである。
【発明の効果】
【０００７】
スケール表示の１メモリ当たりの時間幅を指定することで、その時間幅をより細かに設定することができ、プレビュー点への位置合わせのためのカーソル表示の移動がより容易になって、プレビュー作業の時間短縮が可能となる。
【発明を実施するための最良の形態】
【０００８】
先ず、本発明が適用される放送素材送出システムの全体構成例について、図２を用いて説明する。
図２は放送素材送出システムの全体構成の一例を示すブロック図である。この図において、１００はビデオサーバ等の放送用映像機器で、この例では複数の出力チャネル（Ｍチャネル：Ｍは正の整数）を有する。放送用映像機器１００は、番組及びコマーシャルなどの放送用素材を記録し放送するための映像信号ＶAMを出力する。
【０００９】
１０１は静止画ファイルで、この例では複数の出力チャネル（Ｎチャネル：Ｎは正の整数で、かつ、Ｍ＞Ｎ）を有し、番組及びコマーシャルなどに使用する放送用静止画素材を映像信号ＶPNとして出力する。
【００１０】
１０２は映像信号発生器で、カラーバー信号やテストパターン信号等の、静止画信号の代わりにプレビューに用いる映像信号ＶMを発生する。
１０３は映像信号切換器で、Ｎ入力でＭ出力（Ｍ＞Ｎ）のスイッチ群で構成され、静止画ファイル１０１と映像信号発生器１０２の双方から映像信号が入力され、それら静止画ファイル１０１からの映像信号ＶPNと、映像信号発生器１０２からの映像信号ＶMとを切換えて出力する。
【００１１】
１０４は制御装置で、放送用映像機器１００、静止画ファイル１０１、映像信号切換器１０３をそれぞれ制御し、放送用映像機器１００に記録された放送用素材を出力させる働きと、静止画ファイル１０１に記録された放送用静止画素材を出力させる働きと、さらに、放送用映像機器１００からの映像信号ＶAMと映像信号発生器１０１からの映像信号ＶPNを切換えて映像信号切換器１０３から出力させる働きとを有する。このため、ＲＳ４２２インタフェース規格などによる制御線を用いて、放送用映像機器１０１、静止画ファイル１０２、映像信号切換器１０３に接続されている。
【００１２】
１０５は映像処理器で、放送用映像機器１００からの映像信号ＶPMと、静止画ファイル１０１からの映像信号ＶPN、又は映像信号切換器１０３からの映像信号を切り換えたり合成したりし、それら切り換られたあるいは合成された映像信号を出力する。
【００１３】
１０６、１０７はプレビュー用機器で、Ｍ’台（Ｍ’はＭから出力用チャネル数を除いた数を示す）あり、放送用に出力する素材が正しいかどうか確認を行うための機器である。
【００１４】
以下、本発明の実施例について図１を用いて説明する。図１は、上述のプレビュー用機器１０６、１０７でのプレビュー再生表示のために表示される、スケール表示の例を示した図である。
【００１５】
この図において、１は、記録した映像・音声の素材長全体を１００％としたスケール表示であり、２は、素材長全体に対しての現在のプレビュー再生位置表示である。３は、選択したスケール設定値の範囲の素材部分に対応した部分スケール表示であり、４は、部分スケール表示３に対しての現在のプレビュー再生位置表示である。ここで、プレビュー再生位置表示４をカーソル操作等によって移動させることで、プレビュー開始点を任意に、かつ容易に移動させる。なお、スケール設定値は、スケール設定表示５の値を入力または修正することによって設定できるようにする。
【００１６】
スケール設定表示５の設定値が１００％選択の場合は、部分スケール表示３の左端は素材先頭であり、かつ、スケール右端は素材終点の位置を表すこととなり、素材の全体について表示される。また、スケール設定表示５の設定値を１００％よりも小さい値に設定することで、部分スケール表示３の１メモリが示す時間幅をより細かくすることができる。
【００１７】
このスケール設定表示５の設定値には関わらず、現在のプレビュー再生位置表示４を部分スケール表示３の中心位置となるように表示してもよい。そうしてスケール設定表示５の設定値を変更しながらプレビュー再生位置表示４を移動させることで、目的のプレビュー再生点へ到達するための作業時間をより短縮することができる。
【００１８】
なお、所定時間Ｔを設定して、その所定時間Ｔに対して、現在のプレビュー再生位置表示４を部分スケール表示３の中心位置とし、さらに「（プレビュー再生位置表示４の先頭からの時間）−（時間Ｔ／２）」をスケール表示３の左端とし、「（プレビュー再生位置表示４の先頭からの時間）＋（時間Ｔ／２）」をスケール表示３の右端となるように表示してもよい。そうした場合、所定時間Ｔを短い時間として設定することでは、スケール表示の１メモリが示す時間幅は小さくなり、プレビュー開始点のより細かな選択が可能となる。逆に所定時間Ｔを長い時間として設定することでは、スケール表示の１メモリが示す時間幅はより大きくなり、プレビュー開始点を大まかに移動させることができる。この場合、所定時間Ｔの設定を変更しながらプレビュー再生位置表示４を移動させることで、目的のプレビュー再生点へ到達するための作業時間をより短縮することができる。
【００１９】
上述したように、収録した映像・音声信号のプレビュー再生時に、プレビュー開始点の設定精度を、スケール表示の表紙寸法を可変できるようにすることで、目的の再生点へのカーソルの移動と、その再生点の設定がより容易になり、プレビュー作業の時間をより短縮することができる。
【図面の簡単な説明】
【００２０】
【図１】本発明の放送素材送出システムにおけるスケール表示の例を示した図である。
【図２】放送素材送出システムの全体構成の一例を示すブロック図である。
【符号の説明】
【００２１】
１：スケール表示、  ２：プレビュー再生位置表示、  ３：部分スケール表示、  ４：プレビュー再生位置表示、  ５：スケール設定表示、  １００：放送用映像機器、  １０１：静止画ファイル、  １０２：映像信号発生器、  １０３：映像信号切換器、  １０４：制御装置、  １０５：映像処理器、  １０６，１０７：プレビュー用機器。
【図１】
2005159931.tif 000003
【図２】
2005159931.tif 000004